(57)【要約】  本発明は、制御された光強度で対象物１２を照明するための装置１０に関し、光強度は、満たすべき複数の条件を満たすときに制御されており、複数の条件は、所与の時間における強度に対する条件およびある期間の間の線量に対する条件を含む。
2019524390.tif 000002
【特許請求の範囲】
【請求項１】
制御された光強度で対象物（１２）を照明するための装置（１０）であって、前記光強度は、前記光強度が、満たすべき複数の条件（Ｃ１、Ｃ２、Ｃ３）を満たすときに制御されており、前記複数の条件（Ｃ１、Ｃ２、Ｃ３）は、所与の時間における強度に対する条件（Ｃ１、Ｃ２）およびある期間の間の線量に対する条件（Ｃ３）を含み、
−  ビーム強度が前記満たすべき条件（Ｃ１、Ｃ２、Ｃ３）のうちの少なくとも１つを満たしていないビームを生成するように構成された光源（１４）と、
−  入射ビームの強度を測定するように構成されたフォトダイオード（１６）と、
−  入口から少なくとも１つの出口まで光を伝達するように構成された光学システム（１８）であって、前記光源（１４）、前記フォトダイオード（１６）および前記光学システム（１８）は、前記装置（１０）が２つの異なる構成、すなわち、前記光源（１４）によって放射された光の第１の部分が前記対象物（１２）に伝達され、および前記光源（１４）によって放射された光の第２の部分が前記フォトダイオード（１６）に伝達される動作構成、並びに通常動作では、前記光源（１４）によって生成された光が前記対象物（１２）へも前記フォトダイオード（１６）へも送られない制御構成を有するように配置されている、光学システム（１８）と、
−  前記装置（１０）が前記制御構成にあるときに前記フォトダイオード（１６）上で測定された強度に基づいて、および前記満たすべき条件（Ｃ１、Ｃ２、Ｃ３）に基づいて前記第１の部分の値を制御するように構成されたコントローラ（２０）と、
を含む装置。
【請求項２】
満たすべき１つの条件（Ｃ１）は、任意の所与の時間における光強度が最大強度より下にあるかまたはそれに等しいことである、請求項１に記載の装置。
【請求項３】
満たすべき１つの条件（Ｃ２）は、任意の所与の時間における光強度が最小強度より上にあるかまたはそれに等しいことである、請求項１または２に記載の装置。
【請求項４】
満たすべき１つの条件（Ｃ３）が、前記期間の間の前記線量が最大値より下にあるかまたはそれに等しいことである、請求項１から３のいずれか一項に記載の装置。
【請求項５】
前記光学システム（１８）が複数の反射器（３０）を含み、各反射器（３０）は３つの位置、すなわち、前記反射器（３０）が前記入射ビームを前記対象物（１２）に向けて反射する第１の位置と、前記反射器（３０）が前記入射ビームをフォトダイオード（１６）に向けて反射する第２の位置と、前記反射器（３０）が前記入射ビームを前記対象物（１２）へも前記フォトダイオード（１６）へも反射しない第３の位置とを有しており、前記コントローラ（２０）は各反射器（３０）の前記位置を指令するように構成されており、前記装置（１０）は、前記コントローラ（２０）が各反射器を前記第１の位置に、または前記第２の位置にあるように指令するときに前記動作構成にあり、前記装置（１０）は、各反射器（３０）が前記第３の位置にあるように指令されるときに前記制御構成にある、請求項１から４のいずれか一項に記載の装置。
【請求項６】
前記コントローラ（２０）はさらに、前記装置（１０）が前記制御構成にあるときに前記フォトダイオード（１６）上で測定された強度に基づいて、および前記満たすべき条件（Ｃ１、Ｃ２、Ｃ３）に基づいて、前記第１の位置に移すべき反射器（３０）の数を推定するように構成されており、前記推定された数のミラーに前記第１の位置に移るように指令する、請求項１から５のいずれか一項に記載の装置。
【請求項７】
前記光源（１４）が光源のマトリクスであり、各光源が２つの状態、すなわち、前記光源が光を放射しない非供給状態、および前記光源が光を放射する供給状態を有しており、前記コントローラ（２０）は、各光源の前記状態を制御するように構成されている、請求項１から４のいずれか一項に記載の装置。
【請求項８】
照明すべき平面が前記対象物（１２）に対して画定され、前記光源（１４）および前記光学システム（１８）の少なくとも一方は、前記装置（１０）が前記動作構成にあるときに、光の強度の異なるレベルで照明されるいくつかの独立した空間領域を前記照明すべき前記平面内に画定することができるようにある、請求項１から７のいずれか一項に記載の装置。
【請求項９】
前記光学システム（１８）は、点拡がり関数がシステム出力において２５μｍより下にあることを保証する光学部品を含む、請求項８に記載の装置。
【請求項１０】
前記光学システム（１８）は、光学収差を修正するように構成されたシステムを含み、光学収差を修正するために構成された前記システムは調整可能である、請求項９に記載の装置。
【請求項１１】
光学収差を修正するために構成された前記システムが液体レンズである、請求項１０に記載の装置。
【請求項１２】
制御された光強度で対象物（１２）を照明する方法であって、前記光強度は、前記光強度が満たすべき複数の条件（Ｃ１、Ｃ２、Ｃ３）を満たすときに制御されており、前記複数の条件（Ｃ１、Ｃ２、Ｃ３）は、所与の時間における強度に対する条件（Ｃ１、Ｃ２）およびある期間の間の線量に対する条件（Ｃ３）を含み、
−  制御された光強度で対象物（１２）を照明するための装置（１０）を設けるステップであって、前記装置（１０）は、
−  ビーム強度が前記満たすべき条件（Ｃ１、Ｃ２、Ｃ３）のうちの少なくとも１つを満たしていないビームを生成するように構成された光源（１４）と、
−  入射ビームの強度を測定するように構成されたフォトダイオード（１６）と、
−  入口から少なくとも１つの出口まで光を伝達するように構成された光学システム（１８）であって、前記光源（１４）、前記フォトダイオード（１６）および前記光学システム（１８）は、前記装置（１０）が２つの異なる構成、すなわち、前記光源（１４）によって放射された光の第１の部分が前記対象物（１２）に伝達され、および前記光源（１４）によって放射された光の第２の部分が前記フォトダイオード（１６）に伝達される動作構成、並びに通常動作では、前記光源（１４）によって生成された光が対象物（１２）へも前記フォトダイオード（１６）へも送られない制御構成を有するように配置されている、光学システム（１８）と、
−  前記第１の部分の値を制御するように構成されたコントローラ（２０）とを含む、設けるステップと、
−  前記制御構成で動作するように前記装置（１０）を指令するステップと、
−  前記フォトダイオード（１６）の強度を測定するステップと、
−  前記測定された強度に基づいて、前記制御構成における前記装置（１０）の異常動作に起因して前記対象物（１２）を照明する強度を決定するステップと、
−  前記決定された光強度および前記満たすべき条件（Ｃ１、Ｃ２、Ｃ３）に基づいて、前記動作構成において放射すべき光の前記第１の部分を推定するステップと、
−  前記装置（１０）に、前記推定された第１の部分に等しい前記第１の部分の値を有する前記動作構成にあるように指令するステップと、を含む方法。
【請求項１３】
前記対象物（１２）は、前記装置（１０）の使用者の視力を回復または改善する対象物である、請求項１２に記載の方法。
【請求項１４】
前記対象物（１２）が光反応性タンパク質を発現する少なくとも１つの細胞を含む、請求項１２または１３に記載の方法。
【請求項１５】
光反応性タンパク質は、光駆動性イオンチャネルからなる群から選択される、請求項１２から１４のいずれか一項に記載の方法。
【発明の詳細な説明】
【技術分野】
【０００１】
本発明は、制御された光強度で対象物を照明するための装置に関する。本発明は関連する方法にも関する。
【背景技術】
【０００２】
光遺伝学は、細胞の活動を制御および監視するために光学と遺伝学の技術を組み合わせることに基づいている。それは、（ｉ）細胞膜における外因性の光反応性タンパク質の発現によって標的細胞を光に対して感受性にするために標的細胞を遺伝子改変すること、および（ｉｉ）前記光反応性タンパク質に光を提供できる照明装置を提供することからなる。
【０００３】
例えば、それはヒトを含む、生きている動物（Boyden et al., 2005, Nature Neuroscience 8(9):1263-68）、とくに眼（Busskamp et al., 2012, Gene Therapy 19(2):169-75）の神経機能を回復するために使用することができる選択的なニューロン活性化／抑制のための非常に強力なツールである。
【０００４】
光の選択される波長は、光反応性タンパク質の最適波長に近接することになっており（Nagel et al, 2003, Proceedings of the National Academy of Sciences 100(24): 13940-45, Klapoetke et al. 2014, Nature Methods 11 (3): 338-46）、およびこれらのタンパク質は光に対して非常に低い感度を有していること（Asrican et al. 2013, Front Neural Circuits, 2013, 7:160; Busskamp et al. 2012, Gene Therapy 19(2): 169-75）が示されている。従って、光による最小レベルのタンパク質活性化を得るためには、標的細胞またはタンパク質が受ける光の強度は最小値より高くなるであろう（Barrett et al., 2014, Visual Neuroscience 31 (4-5): 345-354）。
【０００５】
しかしながら、十分な光がその活性化を提供するために光反応性タンパク質に到達しなければならないが、組織または細胞の熱および光毒性を最小限に抑えることが必要とされる（Yan et al. 2016, Vision Research 121: 57-71）。所与の期間の間の光の線量がいかなる組織または細胞の損傷も引き起こさないことを保証することがさらに望ましい。強度に対する、および線量に対する光生物学的および眼科的な設定閾値は従来技術において知られている（例えば、ISO 15004-2 2016; “ISO 62471:2006” 2016; §8.3 of “ANSI Z136 Standards - LIA” 2014を参照）。強度は、放射照度（ｍＷ／ｍｍ２または光子．ｃｍ２．ｓ−１）として定義され、所与の期間内の線量は、その期間にわたる強度の積分（ｍＪ／ｍｍ２または光子．ｃｍ−２）として定義される。
【０００６】
従って、放射される光の強度を制御することができ、および／または対応する線量が最大値を超えないように保証することができる照明装置を提供することが望ましい。
【０００７】
さらに、外因性の光反応性タンパク質を発現することにおいて患者間で変動性があり得、および羞明に対する閾値は患者間で非常に変動しやすく（Hamel 2006, Orphanet Journal of Rare Diseases 1:40）、それ故患者に送られる強度を適合させ得ることが望ましい。
【０００８】
同様に、眼はそれ自体が、近視、遠視および乱視のような収差を含む光学収差を有する光学システムである（Navarro, et al. 1998, Journal of the Optical Society of America A 15(9):2522）。光学収差はまた、正視眼にも存在し、そして光生物学的および眼科的標準において考慮されている（ISO 15004-2, 2007; ISO 62471, 2006）。これらの収差は、光活性化可能タンパク質が受ける光強度を減少させる可能性があり、従って、これらの欠点を少なくとも部分的に修正することができる照明装置を提供することが望ましい。
【０００９】
小型化された照明装置を提供することがさらに望ましく、それにより日常的にヒトが着用可能な装置に挿入することができる。
【００１０】
生体外での実験に対する光遺伝学的タンパク質をシミュレートするために現在利用可能な照明装置が構築されているが（Degenaar et al. 2009, Journal of Neural Engineering 6(3): 35007; Grossman et al. 2010, Journal of Neural Engineering 7(1): 16004）、それらは小型化されておらず、まだヒトの使用には適していない。
【００１１】
ヘッドマウントディスプレイは、拡張現実感、仮想現実感、または映画ディスプレイに使用される。
【００１２】
しかしながら、これらのヘッドマウントディスプレイによって提供される光強度は十分ではなく、光反応性タンパク質を刺激するように構成可能ではなく、それ故光遺伝学的用途には適していない。
【００１３】
従って、対象物を、特にこの対象物が生細胞または組織であるときに、制御された光強度で照明するように構成された照明装置が依然として強く必要とされている。
【先行技術文献】
【特許文献】
【００１４】
【特許文献１】米国特許出願公開第２０１４−０１２１２６５号明細書
【特許文献２】米国特許第８，９０６，３６０号明細書
【非特許文献】
【００１５】
【非特許文献１】Boyden et al., 2005, Nature Neuroscience 8(9):1263-68
【非特許文献２】Busskamp et al., 2012, Gene Therapy 19(2):169-75
【非特許文献３】Nagel et al, 2003, Proceedings of the National Academy of Sciences 100(24): 13940-45, Klapoetke et al. 2014, Nature Methods 11 (3): 338-46
【非特許文献４】Asrican et al. 2013, Front Neural Circuits, 2013, 7:160; Busskamp et al. 2012, Gene Therapy 19(2): 169-75
【非特許文献５】Barrett et al., 2014, Visual Neuroscience 31 (4-5): 345-354
【非特許文献６】Yan et al. 2016, Vision Research 121: 57-71
【非特許文献７】ISO 15004-2 2016; “ISO 62471:2006” 2016; §8.3 of “ANSI Z136 Standards - LIA” 2014
【非特許文献８】Hamel 2006, Orphanet Journal of Rare Diseases 1:40
【非特許文献９】Navarro, et al. 1998, Journal of the Optical Society of America A 15(9):2522
【非特許文献１０】ISO 15004-2, 2007; ISO 62471, 2006
【非特許文献１１】Degenaar et al. 2009, Journal of Neural Engineering 6(3): 35007; Grossman et al. 2010, Journal of Neural Engineering 7(1): 16004
【非特許文献１２】Vann and Xiong, 2016, Int. J. Physiol. Pathophysiol. Pharmacol., 8, 1-8
【非特許文献１３】Lanyi, J K, 2004, Annu Rev Physiol. 66:665-88
【非特許文献１４】Lanyi, J K, 1990, Physiol Rev. 70:319-30
【非特許文献１５】Hadjinicolaou et al. 2015, Clin Exp Optom., 98, 395-410
【発明の概要】
【発明が解決しようとする課題】
【００１６】
本発明は、実施がより簡単な、制御された光強度で対象物を照明するための装置を提案することを目的としている。
【課題を解決するための手段】
【００１７】
この目的のために、本発明は、制御された光強度で対象物を照明するための装置に関し、光強度は、光強度が満たすべき複数の条件を満たすときに制御されており、複数の条件は、所与の時間における強度に対する条件およびある期間の間の線量に対する条件を含み、装置は、ビーム強度が満たすべき条件のうちの少なくとも１つを満たさないビームを生成するように構成された光源を含む。装置は、入射ビームの強度を測定するように構成されたフォトダイオードおよび光を入口から少なくとも１つの出口まで伝達するように構成された光学システムを備え、光源、フォトダイオードおよび光学システムは、装置が、２つの異なる構成、すなわち、光源によって放射された光の第１の部分が対象物に伝達され、および光源によって放射された光の第２の部分がフォトダイオードに伝達される動作構成、並びに通常動作では、光源によって生成された光が対象物へもフォトダイオードへも送られない制御構成を有するように配置されている。装置はまた、装置が制御構成にあるときにフォトダイオード上で測定された強度に基づいて、および満たすべき条件に基づいて、第１の部分の値を制御するように構成されたコントローラを含む。
【００１８】
有利であるが必須ではない本発明のさらなる態様によれば、装置は、任意の技術的に許容される組み合わせにおいて採用される以下の特徴のうちの１つまたはいくつかを組み込んでもよい。
−  満たすべき１つの条件は、任意の所与の時点における光強度が最大強度より下にあるかまたはそれに等しいことである。
−  満たすべき１つの条件は、任意の所与の時間における光強度が最小強度より上にあるかまたはそれに等しいことである。
−  満たすべき１つの条件は、その期間の間の線量が最大値より下にあるかまたはそれに等しいことである。
−  光学システムは、複数の反射器を含み、各反射器は、反射器が入射ビームを対象物に向けて反射させる第１の位置、反射器が入射ビームをフォトダイオードに向けて反射させる第２の位置、および反射器が入射ビームを対象物へもフォトダイオードへも反射させない第３の位置、の３つの位置を有しており、コントローラは、各反射器の位置を指令するように構成されており、装置は、コントローラが各反射器を第１の位置または第２の位置にあるように指令するときに動作構成にあり、および装置は、各反射器が第３の位置にあるように指令されたときに制御構成にある。
−  コントローラは、装置が制御構成にあるときにフォトダイオード上で測定された強度に基づいて、および満たすべき条件に基づいて、第１の位置に移すべき反射器の数を推定するようにさらに構成されており、推定された数のミラーが第１の位置に移るように命令する。
−  光源は光源のマトリックスであり、各光源は２つの状態、すなわち、光源が光を放射しない非供給状態および光源が光を放射する供給状態を有しており、コントローラは各光源の状態を制御するように構成されている。
−  照明すべき平面が対象物に対して画定され、光源および光学システムの少なくとも一方は、装置が動作構成にあるときに、光の強度の異なるレベルによって照明されるいくつかの独立した空間領域が、照明すべき平面内で画定され得るようにある。
−  光学システムは、点拡がり関数がシステム出力において３０μｍより下、好ましくは２５μｍより下にあることを保証する光学部品を含む。
−  光学システムは、光学収差を修正するのに適したシステムを含み、光学収差を修正するのに適したシステムは調整可能である。
−  光学収差を修正するのに適したシステムは液体レンズである。
−  装置は光遺伝学において使用され、対象物は装置の使用者の視力の回復または改善に関与しており、対象物は光反応性タンパク質を発現する複数の細胞を含み、光強度は、光強度がいかなる細胞および組織の損傷を防ぐために満たすべき複数の条件を満たすときに制御されている。
【００１９】
本発明はまた、制御された光強度で対象物を照明するための方法に関し、光強度は、光強度が満たすべき複数の条件を満たすときに制御されており、複数の条件は、所与の時間における強度に対する条件およびある期間の間の線量に対する条件を含み、本方法は、制御された光強度で対象物を照明するための装置を設けるステップを含み、装置は、ビーム強度が満たすべき条件の少なくとも１つを満たさないビームを生成するように構成されている。装置は、入射ビームの強度を測定するように構成されたフォトダイオードと、入口から少なくとも１つの出口まで光を伝達するように構成された光学システムとを備え、光源、フォトダイオードおよび光学システムは、装置が２つの別個の構成、すなわち、光源によって放射された光の第１の部分が対象物に伝達され、および光源によって放出された光の第２の部分がフォトダイオードに伝達される動作構成、並びに通常動作では、光源によって生成された光が対象物へもフォトダイオードへも送られない制御構成を有するように配置されている。装置はまた、装置が制御構成にあるときにフォトダイオード上で測定された強度に基づいて、および満たすべき条件に基づいて第１の部分の値を制御するように構成されたコントローラを含む。本方法はまた、制御構成で動作するように装置に指令するステップと、フォトダイオード上の強度を測定するステップと、測定された強度に基づいて制御構成における装置の異常動作に起因して対象物を照明する強度を決定するステップと、決定された光強度および満たすべき条件（Ｃ１、Ｃ２、Ｃ３）に基づいて、動作構成において放射すべき光の第１の部分を推定するステップと、推定された第１の部分に等しい第１の部分の値を有する動作構成にあるように装置に命令するステップとを含む。
【００２０】
有利ではあるが強制的ではない本発明のさらなる態様によれば、本方法は、任意の技術的に許容される組み合わせにおいて採用される以下の特徴のうちの１つまたはいくつかを組み込んでもよい。
−  対象物は、装置の使用者の視力を回復または改善する対象物である。
−  対象物は、光反応性タンパク質を発現する少なくとも１つの細胞を含む。
−  光反応性タンパク質は、光駆動イオンチャネルからなる群から選択される。
【図面の簡単な説明】
【００２１】
本発明の目的を限定することなく、添付の図面と対応させて説明のための例として与えられる以下の説明に基づいて、本発明はよりよく理解されるであろう。
【００２２】
【図１】対象物を照明するための装置の一例を概略的に示しており、装置は反射器またはビームスプリッタを含む。
【図２】第１の位置にある反射器を概略的に示している。
【図３】第２の位置にある図２の反射器を概略的に示している。
【図４】第３の位置にある図２の反射器を概略的に示している。
【図５】対象物を照明するための装置の別の実施例を示している。
【発明を実施するための形態】
【００２３】
制御された光強度で対象物を照明するための装置１０および対象物１２が図１に示されている。
【００２４】
装置１０は、制御された光強度で対象物１２を照明するように構成されている。
【００２５】
光強度は、光強度が満たすべき複数の条件を満たすときに、制御されたと見なされる。
【００２６】
複数の条件は、所与の時間における強度に対する条件およびある期間の間の線量に対する条件を含む。
【００２７】
例えば、満たすべき１つの条件は、任意の所与の時間における光強度が最大強度より下にあるかそれに等しいことである。この条件を第１条件Ｃ１と命名する。
【００２８】
別の実施例によれば、満たすべき１つの条件は、任意の所与の時間における光強度が最小強度より上にあるかまたはそれに等しいことである。この条件を第２条件Ｃ２と命名する。
【００２９】
さらに別の実施例によれば、満たすべき１つの条件は、ある期間の間の線量が最大値より下にあるかまたはそれに等しいことである。例えば、その期間は１時間、１２時間、２４時間または４８時間である。この条件を第３の条件Ｃ３と命名する。
【００３０】
満たすべき１つの条件はまた、所与の波長の間隔にある強度に関連してもよい。
【００３１】
条件のセットは、対象物、とりわけ医学的な対象物に対する基準を尊重するように選択することができる。
【００３２】
別の実施例によれば、満たすべき１つの条件は、照明される領域が所与の領域を超えて広がらないことである。
【００３３】
別の実施例によれば、光の強度の異なるレベルで照明されるいくつかの独立した空間領域を、対象物１２に対応する平面内に画定することができる。満たすべき１つの条件は、強度の各レベルの均一性に対する条件である。具体的な実施例として、満たすべき条件は、強度の平均レベルに対する強度のレベルの変動の割合が最大値より下にあるかそれに等しいことである。
【００３４】
別の実施例によれば、照明する対象物はそれ自体が絞りを含む光学システムである。あるいは、照明する対象物は眼であり、その絞りは瞳孔である。満たすべき１つの条件は、絞りの所与のディスクを通過する入射光の光束の割合が所与の値より上にあることである。
【００３５】
満たすべき別の条件は、絞り平面上の所与の直径の任意のディスクを通過する入射光の光束の割合が所与の値より下にあることである。
【００３６】
別の実施例によれば、満たすべき１つの条件は、ビーム経路の所与のセグメントにわたる所与の直径の任意のディスクを通過する入射光の光束の割合が所与の値より下にあることである。例えば、この条件を適用するビーム経路のこのセグメントは、眼の前方のセグメントとすることができる。
【００３７】
本明細書の残りの部分では、装置１０によって満たすべき複数の条件は、３つの条件Ｃ１、Ｃ２およびＣ３であると仮定される。
【００３８】
図１の装置１０は、光源１４、フォトダイオード１６、光学システム１８、コントローラ２０、カメラ２２、指令ユニット２４および電源２６を含む。
【００３９】
光源１４は、ビーム強度が満たすべき条件のうちの少なくとも１つを満たさないビームを生成するように構成されている。
【００４０】
図１の特定の実施例によれば、光源１４は、任意の所与の時間における光強度が最小強度より上にあるかまたはそれに等しいビームを生成するように構成されている。これは、光源１４が第１の条件Ｃ１を満たさないことを意味している。
【００４１】
図１の場合、光源１４はエレクトロルミネセントダイオードである。
【００４２】
フォトダイオード１６は入射ビーム上の強度を測定するように構成されている。
【００４３】
例えば、フォトダイオード１６はＣＭＯＳ技術で作られ、頭字語ＣＭＯＳは相補型金属酸化物半導体を指す。
【００４４】
光学システム１８は、入口から少なくとも１つの出口へ光を伝達するように構成されている。
【００４５】
図１の場合、光学システム１８は、光源１４によって生成された光を、一方の光経路に従って対象物１２へ、および他方の光経路に従ってフォトダイオード１６へ伝達するように構成されている。
【００４６】
光源１４、フォトダイオード１６および光学システム１８は、装置１０が２つの異なる構成Ｍ１およびＭ２、すなわち動作構成Ｍ１および制御構成Ｍ２を有するように配置されている。
【００４７】
動作構成Ｍ１において、光源１４によって放射される光の第１の部分は、対象物１２に伝達され、光源１４によって放射された光の第２の部分は、フォトダイオード１６に伝達される。
【００４８】
制御構成Ｍ２において、通常動作では、光源１４によって生成された光は、対象物１２へもフォトダイオード１６へも送られない。通常動作とは、装置１０の各構成要素がその公称動作に従って動作していることを意味する。これは、装置１０の各構成要素がその指令に従って動作することを意味する。換言すれば、異常動作では、装置１０の少なくとも１つの構成要素が、その指令に従って動作しない。
【００４９】
図１の特定の実施例において、動作構成Ｍ１と制御構成Ｍ２との間の切り替えは、光学システム１８によって可能にされる。
【００５０】
光学システム１８は、図１のボックスによって概略的に表された光学コンベア２８と、複数の反射器３０とを備え、複数の反射器３０が光学コンベア２８に属することを考慮に入れる。
【００５１】
反射器３０は通常はミラーである。
【００５２】
反射器３０はビームスプリッタとすることもできる。
【００５３】
特定の実施例によれば、各反射器はマイクロミラーであり、それにより複数の反射器３０がマイクロミラーのアレイを形成する。
【００５４】
各反射器３０は、図２から図４に示された３つの位置、すなわち第１の位置、第２の位置および第３の位置を有している。
【００５５】
第１の位置（図２参照）では、反射器３０は、入射ビームを対象物１２に向けて反射する。
【００５６】
第２の位置（図３参照）では、反射器３０は、入射ビームをフォトダイオード１６に向けて反射する。
【００５７】
第３の位置（図４参照）では、反射器３０は、入射ビームを対象物１２へもフォトダイオード１６へも反射しない。
【００５８】
図示された実施例において、反射器３０は、所与の軸の周りの回転によって一つの位置から別の位置まで通じる。
【００５９】
さらに、第１の位置と第３の位置との間の回転の角度は、第３の位置と第２の位置との間の回転の角度に等しい。
【００６０】
動作構成Ｍ１は、反射器３０の第１の部分が第１の位置にあると同時に、反射器の第２の部分が第２の位置にある構成に対応している。
【００６１】
制御構成Ｍ２は、各反射器３０が第３の位置にある構成に対応している。
【００６２】
あるいは、制御構成Ｍ２は、各反射器３０が第１の位置にある構成に対応している。
【００６３】
通常動作では、制御構成Ｍ２において光源１４によって生成された光は対象物１２へもフォトダイオード１６へも送られない。
【００６４】
この特定の実施例における通常動作とは、装置１０の各反射器３０が各反射器に送られた指令に対応する位置にあることを意味している。しかしながら、反射器３０はその位置で阻まれたままであることが起こる。
【００６５】
従って、異常動作では、制御構成Ｍ２において、阻まれた反射器３０は光を対象物１２またはフォトダイオード１６に送ることがある。
【００６６】
この異常動作は、光強度が３つの条件Ｃ１、Ｃ２およびＣ３を満たすことを保証するように考慮する必要がある。これはコントローラ２０によって達成される。
【００６７】
コントローラ２０は、装置１０が制御構成Ｍ２にあるときにフォトダイオード１６上で測定された強度に基づいて、および３つの条件Ｃ１、Ｃ２およびＣ３に基づいて、第１の部分の値を制御するように構成されている。
【００６８】
図１の実施例によれば、コントローラ２０は、各反射器３０の位置を指令するように構成されている。
【００６９】
コントローラ２０はさらに、光強度によって満たすべき条件Ｃ１、Ｃ２、Ｃ３を満たす際に装置１０の結果として起こる異常動作を考慮に入れ、装置１０が制御構成Ｍ２にあるときにフォトダイオード１６上で測定された強度に基づいて、および満たすべき条件Ｃ１、Ｃ２、Ｃ３に基づいて、第１の位置に移るべき反射器３０の数を推定するように構成されており、推定された数の反射器３０が第１の位置へ移るように指令する。
【００７０】
図１のコントローラ２０はまた、カメラ２２、指令ユニット２４および電源２６との相互作用にある。
【００７１】
電源は、例えば１つの電池、あるいは電力網に取り付けられた外部の１５Ｖ電源とすることができる。
【００７２】
カメラ２２は、外部シーンを取り込み、取り込んだ外部シーンをコントローラ２０に送るように構成されている。コントローラ２０はさらに、シーンを光源２０によって生成すべき変換されたビームに変換するように構成されている。
【００７３】
コントローラ２０は、電源２６が存在するときに指令ユニット２４がオン／オフスイッチとしてコントローラを指令している限りにおいて、指令ユニット２４および電源２６によって指令される。
【００７４】
対象物を照明する方法を参照して、装置１０の動作を説明する。
【００７５】
この方法は、装置１０を設けるステップを含む。
【００７６】
本方法はまた、制御構成Ｍ２で動作するように装置１０を指令するステップを含む。
【００７７】
図示された実施例では、コントローラ２０は各反射器３０が第３の位置にあるように指令する。
【００７８】
本方法は、フォトダイオード１６上で強度を測定するステップも含む。通常動作では、フォトダイオード１６上で測定された強度はノイズに対応している。ノイズは、ある位置から別の位置に切り替わるミラーの数に対応する強度である。
【００７９】
これは、各反射器３０が第３の位置に切り替わることができることを意味している。反射器３０はその位置で阻まれていない。
【００８０】
異常動作では、複数の反射器３０はその位置で阻まれている。阻まれる位置はランダムであるので、いくつかの反射器３０は、対象物１２が光源１４によって生成された光によって照明されることを意味する第１の位置で阻まれている。
【００８１】
３つの位置間の統計上の共有を仮定すると、これはまた、いくつかの反射器３０が第２の位置で阻まれており、測定強度を得るように光をフォトダイオード１６に送ることを意味する。装置１０が制御構成Ｍ２にあるときにフォトダイオード１６によって測定されるいかなる光強度は、装置１０の異常動作から生じる。
【００８２】
本方法は、測定強度に基づいて、制御構成Ｍ２における装置１０の異常動作に起因した対象物１２を照明する強度を決定するステップをさらに含む。
【００８３】
特定の実施形態によれば、３つの位置間の異常動作の統計上の共有の仮説を用いて、決定するステップは、第２の位置にある反射器３０の数、同一であると仮定されている第１の位置にある反射器３０の数を推定することによって、および第１の位置にある反射器３０の数を、対象物１２を照明する光強度に変換することによって達成される。変換動作は、考慮される光学システム１８に依存している。
【００８４】
本方法はまた、決定された光強度および満たすべき条件Ｃ１、Ｃ２、Ｃ３に基づいて、動作構成Ｍ１において放射すべき光の第１の部分を推定するステップを含む。
【００８５】
本方法は次いで、推定された第１の部分と等しい第１の部分の値を用いて動作構成Ｍ２になるように装置１０を指令するステップを含む。
【００８６】
このステップは、適切な数の反射器３０が第１の位置にあるように指令することによって達成される。
【００８７】
従って、装置１０は、複数の条件を満たし、装置１０の構成要素の異常動作を考慮に入れた光強度で対象物を照明することを可能にしている。
【００８８】
これは、装置１０が光強度の制御の増大したレベルを提供するという事実をもたらす。
【００８９】
加えて、装置１０が制御構成Ｍ２を必要とする限りにおいて、装置は、フォトダイオード１６およびコントローラ２０を実装することは容易である。
【００９０】
従って、装置１０の他の実施形態が考慮される。
【００９１】
別の実施形態が図５を参照して説明される。
【００９２】
図１の実施形態を参照してなされた各説明は、図５に示された実施形態に当てはまる。相違点のみを説明する。
【００９３】
この場合において、光源１４はエレクトロルミネセントダイオードのマトリクスであり、各エレクトロルミネセントダイオードは２つの状態、エレクトロルミネセントダイオードが光を放射しない非供給状態およびエレクトロルミネセントダイオードが光を放射する供給状態を有している。
【００９４】
光学システム１８は、光の一部を対象物１２に向けて透過させ、光の一部をフォトダイオード１６に反射させるように構成されているセパレータを含む。
【００９５】
コントローラ２０は、各エレクトロルミネセントダイオードの状態を制御するように構成されている。
【００９６】
動作構成Ｍ１は、いくつかのエレクトロルミネセントダイオードが供給状態にある構成に対応している。光の第１の部分は光学システム１８を通る透過強度に対応していると同時に、光の第２の部分は光学システム１８による反射強度に対応している。
【００９７】
制御構成Ｍ２は、エレクトロルミネセントダイオードが非供給状態にある構成に対応している。通常動作では、各エレクトロルミネセントダイオードの指令とエレクトロルミネセントダイオードがおかれている状態との間には完全な対応関係がある。異常動作では、この対応は存在しない。
【００９８】
コントローラ２０は、この対応関係の欠如が対象物１２に送られる光において考慮されることを保証することを可能にしている。
【００９９】
装置１０のこの実施形態はまた、光強度の制御の増大したレベルを提供する。
【０１００】
そのような装置１０は、いかなる種類の対象物１２を照明するのに有用であり得る。
【０１０１】
特定の例によれば、照明する対象物はそれ自体がリアルタイムまたはオフライン条件で測定可能な光学収差を有する光学システムである。これらの光学収差は、その点拡がり関数（ＰＳＦ）によって特徴付けられる。例えば、対象物が眼である場合、これらの光学収差は焦点ぼけおよび乱視を含む。
【０１０２】
これは光学システム１８に対する制約を意味する。
【０１０３】
満たすべき１つの制約は、対象物の点拡がり関数と光学システム１８の関連部分との組み合わせの標準偏差が最大値を下回ることである。
【０１０４】
満たすべき制約の別の例は、点拡がり関数が各空間領域において２５μｍより下にあることを保証する光学部品を光学システム１８が含むことである。
【０１０５】
一つの例は、神経精神疾患および／または神経変性疾患を治療および／または予防するための装置１０の使用者に実施される対象物１２である。神経変性疾患の例は、網膜症、パーキンソン病、ハンチントン病、脳卒中、てんかん、アルツハイマー病である（例えば、Vann and Xiong, 2016, Int. J. Physiol. Pathophysiol. Pharmacol., 8, 1-8を参照）。
【０１０６】
一つの好ましい実施形態によれば、前記対象物１２は、装置１０の使用者の視力を回復または改善することに関与している。
【０１０７】
実際に、患者に実施される対象物１２に対して、満たすべき条件、特に照明条件は、いかなる細胞および組織の損傷を防ぐために非常に厳格である。
【０１０８】
例えば、対象物１２は、網膜、変性網膜、網膜細胞、変性網膜細胞または網膜インプラントである。
【０１０９】
好ましい実施形態によれば、本発明の装置は光遺伝学において有用である。光遺伝学は、生体組織の標的細胞における特定の事象を制御するために使用される遺伝的方法と光学的方法の組み合わせである。光遺伝学の特徴は、標的細胞における光反応性タンパク質の発現である。
【０１１０】
別の好ましい実施形態によれば、対象物１２は光反応性タンパク質を発現する複数の細胞を含む。
【０１１１】
一例として、対象物１２は眼の網膜であり、前記網膜は複数の光反応性タンパク質を発現するように変性されている。
【０１１２】
特別な実施形態によれば、光反応性タンパク質はオプシンである。
【０１１３】
好ましい実施形態によれば、それは、光駆動性イオンチャネルタンパク質からなる群から選択され、より具体的には、Ｃｈｒｉｍｓｏｎ、ＣｈｒｉｍｓｏｎＲ、（国際公開第２０１３−７１２３１）、ＣｈｒｉｍｓｏｎＲ−ｔｄＴ、キャッチ（Ｃａｔｃｈ）、チャネルロドロプシン（米国特許出願公開第２０１４−０１２１２６５号明細書、米国特許第８，９０６，３６０号明細書）、メラノプシンおよびそれらの誘導体からなる群から選択される。別の特定の実施形態によれば、光反応性タンパク質は、バクテリオロドプシン（Lanyi, J K, 2004, Annu Rev Physiol. 66:665-88）、ハロロドプシン（Lanyi, J K, 1990, Physiol Rev. 70:319-30）およびそれらの誘導体などの光駆動性イオンポンプからなる群から選択される。
【０１１４】
あるいは、本発明の対象物１２は、網膜変性によって盲目となった患者に対する視力の回復に使用される電子網膜プロテーゼである（Hadjinicolaou et al. 2015, Clin Exp Optom., 98, 395-410を参照）。
【０１１５】
別の実施例は、食べられることを対象とした対象物１２である。例えば、対象物１２は野菜であり得る。
【０１１６】
上で考察した実施形態および代替の実施形態は、本発明のさらなる実施形態を生み出すために組み合わせることができる。
【符号の説明】
【０１１７】
１０  装置
１２  対象物
１４  光源
１６  フォトダイオード
１８  光学システム
２０  コントローラ
２２  カメラ
２４  指令ユニット
２６  電源
２８  光学コンベア
３０  反射器
【図１】
2019524390.tif 000003
【図２】
2019524390.tif 000004
【図３】
2019524390.tif 000005
【図４】
2019524390.tif 000006
【図５】
2019524390.tif 000007
【国際調査報告】
2019524390.tif 000008
2019524390.tif 000009
2019524390.tif 000010
2019524390.tif 000011